(57)【要約】【課題】カップのがたつきをなくし、安定した状態で保持することができるとともに、カップをスムーズに挿入することができ、かつ意匠上の斬新性を発揮することができるカップホルダを提供する。【解決手段】カップホルダ１０は、飲料容器１２を載せるカップトレイ部１３の外周に、飲料容器１２を保持するように５本のサポート柱１４を配置するとともに、該サポート柱１４は回動軸を中心にして回動可能に構成し、かつサポート柱１４はその前端部１４ａがコイルばねによりカップトレイ部１３の中心側へ移動するように付勢されている。そして、飲料容器１２が各サポート柱１４の内側に挿入されたとき、サポート柱１４の前端部１４ａがコイルばねの付勢力に抗して外方へ移動して飲料容器１２を保持するようになっている。サポート柱１４は、上端ほど細くなる形状を有している。【選択図】図１
2013107424.tif 000002
【特許請求の範囲】
【請求項１】
カップトレイ部の外周には、少なくとも３本のサポート柱をその偏心位置において上下方向に延びる軸を中心に回動可能に配置し、サポート柱とカップトレイ部との間にはサポート柱を前記軸を中心に回転させる付勢部材を設け、サポート柱の軸から離れた部位を下側程カップトレイ部の中心に向かって突出するように傾斜状に形成し、隣接するサポート柱間を開放し、サポート柱によりカップトレイ部上のカップを保持するように構成したことを特徴とするカップホルダ。
【請求項２】
前記カップトレイ部とサポート柱との間には、サポート柱の軸から離れた部位がカップトレイ部の中心側を向いた状態でサポート柱を保持するストッパを設けたことを特徴とする請求項１に記載のカップホルダ。
【請求項３】
前記サポート柱は、大径円弧部と小径円弧部とを連続させた断面形状を有することを特徴とする請求項１又は請求項２に記載のカップホルダ。
【請求項４】
前記サポート柱の傾斜状に形成された部分は、上下方向において凸の曲面で構成されていることを特徴とする請求項１から請求項３のいずれか一項に記載のカップホルダ。
【請求項５】
前記サポート柱は同一形状を有する４〜６本で構成され、各サポート柱が均等間隔に配置されていることを特徴とする請求項１から請求項４のいずれか一項に記載のカップホルダ。
【請求項６】
前記サポート柱は、その上端部が平坦面で構成されていることを特徴とする請求項１から請求項５のいずれか一項に記載のカップホルダ。
【請求項７】
前記サポート柱の軸を大径円弧部に設けたことを特徴とする請求項３から請求項６のいずれか一項に記載のカップホルダ。
【発明の詳細な説明】
【技術分野】
【０００１】
本発明は、例えば自動車室内のコンソールに設けられ、ペットボトル等のカップを収容、保持するためのカップホルダに関する。
【背景技術】
【０００２】
自動車室内の例えば運転席と助手席の間に配設されているセンターコンソールにはカップホルダが設けられている。このカップホルダはサイズの異なるカップを収容できるように設計されていることから、小さめのカップが収容されたときその周囲に隙間が生ずる場合があり、その場合には自動車が加速又は減速或いは旋回するときにカップが傾くおそれがある。このような問題を解決するための自動車用カップホルダが特許文献１に開示されている。
【０００３】
すなわち、図４及び図５に示すように、この自動車用カップホルダ２１は、カップが載置されるベース２２、カップが挿入される開口部２３、及びベース２２から開口部２３まで延びる環状の側壁２４を備えている。さらに、自動車用カップホルダ２１は、前記側壁２４の開口２６を貫通して設けられ、完全展開位置と完全引っ込み位置との間で動く突起２７と、該突起２７を完全展開位置に向かって付勢する付勢部材２８とを有している。そして、自動車用カップホルダ２１にサイズの異なるカップを挿入したとき、カップが突起２７を押して該突起２７をカップのサイズに応じて回動させることができるようになっている。
【先行技術文献】
【特許文献】
【０００４】
【特許文献１】特開２００６−２２４９６１号公報
【発明の概要】
【発明が解決しようとする課題】
【０００５】
しかしながら、前記特許文献１に記載されている従来構成の自動車用カップホルダ２１においては、カップの下部が側壁２４内に挿入され、その内部の突起２７に係合するようになっていることから、カップと突起２７との係合状態を外部から目視することが難しい。しかも、突起２７は側壁２４の開口２６内にあるため、その上下寸法を大きく確保することができない。このため、突起２７上面の傾斜面が水平に近い角度となり、従ってカップの下部と突起２７との係合に伴う突起２７の引っ込み位置への移動がスムーズに行われず、自動車用カップホルダ２１へのカップの挿入が手間取るとともに、カップを安定した状態で自動車用カップホルダ２１に保持できないおそれがある。
【０００６】
また、特許文献１に記載の自動車用カップホルダ２１では、側壁２４の内部に複数の突起２７が突出されていることから、見栄えが悪く、意匠上の自由度が低い上に、意匠的な斬新さに欠けるという欠点があった。
【０００７】
そこで、本発明の目的とするところは、カップのがたつきをなくし、安定した状態で保持することができるとともに、カップをスムーズに挿入することができ、かつ意匠上の斬新性を発揮することができるカップホルダを提供することにある。
【課題を解決するための手段】
【０００８】
上記目的を達成するために、請求項１に記載の発明のカップホルダは、カップトレイ部の外周には、少なくとも３本のサポート柱をその偏心位置において上下方向に延びる軸を中心に回動可能に配置し、サポート柱とカップトレイ部との間にはサポート柱を前記軸を中心に回転させる付勢部材を設け、サポート柱の軸から離れた部位を下側程カップトレイ部の中心に向かって突出するように傾斜状に形成し、隣接するサポート柱間を開放し、サポート柱によりカップトレイ部上のカップを保持するように構成したことを特徴とする。
【０００９】
請求項２に記載の発明のカップホルダは、請求項１に係る発明において、前記カップトレイ部とサポート柱との間には、サポート柱の軸から離れた部位がカップトレイ部の中心側を向いた状態でサポート柱を保持するストッパを設けたことを特徴とする。
【００１０】
請求項３に記載の発明のカップホルダは、請求項１又は請求項２に係る発明において、前記サポート柱は、大径円弧部と小径円弧部とを連続させた断面形状を有することを特徴とする。
【００１１】
請求項４に記載の発明のカップホルダは、請求項１から請求項３のいずれか一項に係る発明において、前記サポート柱の傾斜状に形成された部分は、上下方向において凸の曲面で構成されていることを特徴とする。
【００１２】
請求項５に記載の発明のカップホルダは、請求項１から請求項４のいずれか一項に係る発明において、前記サポート柱は同一形状を有する４〜６本で構成され、各サポート柱が均等間隔に配置されていることを特徴とする。
【００１３】
請求項６に記載の発明のカップホルダは、請求項１から請求項５のいずれか一項に係る発明において、前記サポート柱は、その上端部が平坦面で構成されていることを特徴とする。
【００１４】
請求項７に記載の発明のカップホルダは、請求項３から請求項６のいずれか一項に係る発明において、前記サポート柱の軸を大径円弧部に設けたことを特徴とする。
【発明の効果】
【００１５】
本発明によれば、次のような効果を発揮することができる。
請求項１に記載されている本発明のカップホルダにおいては、特許文献１とは異なり、少なくとも３本のサポート柱の上下寸法を充分に確保でき、カップをカップトレイ部上に安定して保持できる。また、サポート柱間が開放されているため、カップをカップホルダ内へ挿入するときには、カップホルダ内を目視することができる。加えて、カップホルダはカップトレイ部の外周に少なくとも３本のサポート柱を立設した斬新な外観を有している。
【００１６】
よって、本発明のカップホルダによれば、カップのがたつきをなくし、安定した状態で保持することができるとともに、カップをカップホルダ内にスムーズに挿入することができ、かつ意匠上の斬新性を発揮することができるという効果を奏する。
【図面の簡単な説明】
【００１７】
【図１】本発明の一実施形態におけるカップホルダを示す斜視図。
【図２】（ａ）は大きい飲料容器を保持する場合のカップホルダを示す平面図、（ｂ）は小さい飲料容器を保持する場合のカップホルダを示す平面図。
【図３】（ａ）は図２の３−３線における断面図、（ｂ）はストッパを示す説明図。
【図４】従来のカップホルダを示す平面図。
【図５】同じく従来のカップホルダを示す斜視図。
【発明を実施するための形態】
【００１８】
以下、本発明を具体化した実施形態を図１〜図３に基づいて詳細に説明する。
図１に示すように、自動車室内の例えばコンソール１１の上面の円形領域上には、カップとしてのペットボトル等の飲料容器１２を載せるカップトレイ部１３が設けられ、そのカップトレイ部１３の外周には、飲料容器１２を保持するようにカップホルダ１０を構成する５本のサポート柱１４が等間隔をおいて立設されている。このサポート柱１４は少なくとも３本あれば、それらの内側に飲料容器１２を保持することができる。
【００１９】
図２（ａ）及び（ｂ）に示すように、各サポート柱１４は同一形状を有し、断面（横断面）がエンジンのバルブ開閉カム形状を有し、その前端部（小径円弧部）１４ａが幅狭尖鋭状に形成されるとともに、後端部（大径円弧部）１４ｂが幅広に形成されている。図３（ａ）に示すように、サポート柱１４の後端部１４ｂの下部には回動軸１５が後端部１４ｂの軸線方向に延びるように設けられ、その下端部がコンソール１１の支持孔１６内に回動可能に嵌め込まれている。回動軸１５にはコンソール１１の上面とサポート柱１４の下面との間に位置するフランジ状のスペーサ１５ａが形成されており、このスペーサ１５ａによりサポート柱１４の下面とコンソール１１の上面との接触や、サポート柱１４の傾きが防止される。
【００２０】
図２（ａ）及び（ｂ）に示すように、５本のサポート柱１４は前記円形領域上に等間隔で配置され、それらの間は開放されている。図３（ａ）に示すように、回動軸１５の外周には付勢部材としてのコイルばね１７が巻回され、その一端が回動軸１５に固定されるとともに、他端がコンソール１１に固定されている。このコイルばね１７により、サポート柱１４が回動軸１５を中心に一方向へ回動付勢されている。
【００２１】
そして、サポート柱１４の前端部１４ａが図２（ａ）及び（ｂ）の二点鎖線に示す位置、すなわち前端部１４ａがカップトレイ部１３の中心側を向いた位置で停止するように構成されている。すなわち、図３（ａ）及び（ｂ）に示すように、サポート柱１４には回動軸１５を中心とした円弧状の溝１４ｅが形成され、コンソール１１にはその溝１４ｅ内に位置するピン１１ａが形成されている。そして、ピン１１ａが溝１４ｅの一端に係合することにより、サポート柱１４の回動が規制される。従って、溝１４ｅとピン１１ａとによりサポート柱１４を位置決めするためのストッパが構成されている。
【００２２】
サポート柱１４は、先端（上端）ほど細くなる形状を有するとともに、前端部１４ａ側の面が上下方向において凸の曲面１４ｃで構成されている。このため、飲料容器１２を各サポート柱１４の内側へ挿入するとき、図３の二点鎖線に示すように飲料容器１２の下端縁１２ａがサポート柱１４の曲面１４ｃに当って下方へ案内されるようになっている。
【００２３】
そして、図２（ａ）及び（ｂ）に示すように、サポート柱１４が二点鎖線の位置にある状態で、飲料容器１２がサポート柱１４群の内側に挿入されたとき、サポート柱１４がコイルばね１７の付勢力に抗して外方へ実線に示す位置まで移動して飲料容器１２を保持するようになっている。このため、カップホルダ１０は、図２（ａ）に示す大きい飲料容器１２と図２（ｂ）に示す小さい飲料容器１２のいずれも保持することができ、異なるサイズの飲料容器１２に対応できるように構成されている。なお、図３（ａ）に示すように、前記サポート柱１４はその先端部（上端部）が平坦面１４ｄで構成されている。
【００２４】
次に、上記のように構成された本実施形態のカップホルダ１０について作用を説明する。
さて、カップホルダ１０に飲料容器１２が保持されていない場合には、５本のサポート柱１４は図２（ａ）及び（ｂ）の二点鎖線に示すように、それらの前端部１４ａが内方に位置している。その状態で、５本のサポート柱１４の内側へ飲料容器１２を挿入すると、図３（ａ）に示すように、飲料容器１２の下端縁１２ａがサポート柱１４の曲面１４ｃに当って下方へ案内される。同時に、飲料容器１２に押圧されたサポート柱１４は断面カム状に形成されていることから、飲料容器１２の挿入に伴ってその前端部１４ａがコイルばね１７の付勢力に抗し回動軸１５を中心にして図２（ａ）及び（ｂ）の二点鎖線で示す位置から実線で示す位置まで回動する。
【００２５】
そして、飲料容器１２の底面がカップトレイ部１３上に到り、飲料容器１２が５本のサポート柱１４の内側に収容される。この状態では、コイルばね１７の付勢力によって各サポート柱１４の前端部１４ａが飲料容器１２をほぼ同じ付勢力で押圧することから、飲料容器１２の下部はカップホルダ１０にしっかりと保持される。この場合、図２（ａ）に示すような大きい飲料容器１２を用いたときの方が図２（ｂ）に示すような小さい飲料容器１２を用いたときに比べて、コイルばね１７の付勢力が大きくなることから、飲料容器１２の保持力が大きくなる。従って、飲料容器１２が大きく、重いものであっても、飲料容器１２を安定保持できる。
【００２６】
カップホルダ１０から飲料容器１２を取り出したいときには、各サポート柱１４によるコイルばね１７の付勢力に抗して飲料容器１２を引き上げることにより、簡単に引き抜くことができる。
【００２７】
以上の実施形態により発揮される効果を以下にまとめて説明する。
（１）この実施形態のカップホルダ１０では、カップトレイ部１３の外周に５本のサポート柱１４が配置されるとともに、サポート柱１４間が開放され、各サポート柱１４はその前端部１４ａがコイルばね１７とストッパとによりカップトレイ部１３の中心側へ向くように保持されている。そして、飲料容器１２が各サポート柱１４の内側に挿入されたときサポート柱１４の前端部１４ａが外方へ移動して飲料容器１２を保持するように構成されている。
【００２８】
このため、飲料容器１２は５本のサポート柱１４で保持されると同時に、各サポート柱１４の前端部１４ａにより内側へ付勢されている。従って、飲料容器１２はカップトレイ部１３上に安定して保持される。また、飲料容器１２を各サポート柱１４の内側へ挿入するときには、各サポート柱１４の前端部１４ａがコイルばね１７の付勢力に抗して外方に移動するため、目視による挿入操作だけで飲料容器１２を速やかに挿入することができる。加えて、カップホルダ１０はカップトレイ部１３の外周に５本のサポート柱１４を立設した斬新な外観を有している。しかも、各サポート柱１４はそれぞれ独立してコンソール１１の表面から突出形成されているため、意匠的な表現を容易に示すことができ、意匠的な自由度が高い。
【００２９】
よって、本実施形態のカップホルダ１０によれば、飲料容器１２のがたつきをなくし、安定した状態で保持することができるとともに、飲料容器１２をスムーズに挿入することができ、かつ意匠上の斬新性を発揮することができる。
（２）前記カップトレイ部１３とサポート柱１４との間には、サポート柱１４の回動軸１５から離れた部位がカップトレイ部１３の中心側を向いた状態でサポート柱１４を保持するストッパが設けられている。このため、サポート柱１４群の内側に飲料容器１２が挿入されていない状態で各サポート柱１４の前端部１４ａを位置決めすることができ、飲料容器１２の挿入を容易に行うことができる。
（３）前記サポート柱１４は、横断面がカム形状を有している。このため、サポート柱１４は大径円弧部を中心に容易に回動することができ、カップホルダ１０に対する飲料容器１２の挿入容易性及び取出し容易性を高めることができて、飲料容器１２の出し入れを一層円滑に行うことができる。
（４）前記サポート柱１４は、大径円弧部と小径円弧部とを連続させた断面形状を有している。従って、カップホルダ１０への飲料容器１２の挿入性を向上させることができる。
（５）前記サポート柱１４は、前端部１４ａ側の面がカップトレイ部１３側に凸の曲面１４ｃで構成されている。そのため、各サポート柱１４の内側に飲料容器１２を挿入するとき、飲料容器１２の下端縁１２ａを下方へ案内することができ、飲料容器１２の挿入性を良好にすることができる。
（６）前記サポート柱１４は同一形状を有する５本で構成され、各サポート柱１４が均等間隔に配置されている。このため、適正間隔に設定されたサポート柱１４により、飲料容器１２に対して均等な付勢力を作用させることができ、飲料容器１２の挿入及び保持を安定した状態で行うことができる。
（７）前記サポート柱１４はその先端部が平坦面１４ｄで構成されていることから、目視によるサポート柱１４の認識を良好に行うことができるとともに、カップホルダ１０の意匠性を向上させることができる。
（８）本実施形態のカップホルダ１０では、サポート柱１４がコンソール１１の表面から上方に突出するように構成されるとともに、それらの間が開放されていることから、コンソール１１内を通るリア席空調用のダクトの配管等に支障を来たすことを回避することができるとともに、コンソール１１内の空間を有効利用することができる。
【００３０】
なお、前記各実施形態を次のように変更して実施することも可能である。
・  前記サポート柱１４の横断面形状を、カム状から楕円形状、長円形状等に変更することもできる。或いは、前記実施形態の形状において、小径円弧部側を回動軸１５で支持したりすることができる。
【００３１】
・  前記サポート柱１４の先端部を平坦面１４ｄにすることなく、そのまま延長させて縦断面円弧状に形成することもできる。
・  前記サポート柱１４の高さ、厚み等を、意匠性を高めるように適宜変更することもできる。
【００３２】
・  図３（ｂ）に示すストッパの構成を省略することもできる。このように構成した場合には、サポート柱１４群の内側に飲料容器１２が保持されていない状態においてサポート柱１４の前端部１４ａがカップトレイ部１３の中心側を向くように、コイルばね１７の付勢力ゼロの位置を設定する必要がある。
【００３３】
・  前記サポート柱１４は４〜６本で構成することが好ましいが、３本或いは７本以上で構成することも可能である。
・  前記カップトレイ部１３を凹部で構成し、飲料容器１２の底部が収容されるように構成することも可能である。
【００３４】
・  前記カップホルダ１０に保持された飲料容器１２を取り出す場合、サポート柱１４間の空間に指を挿入することなく、飲料容器１２の上部を手で持って引き上げることもできる。
【００３５】
・  本発明のカップホルダ１０では、飲料容器１２としての缶容器、紙コップ等を保持することもできる。
・  本発明のカップホルダ１０を、自動車室内のインストルメントパネル、ドア内壁部等に設けることもできる。
【符号の説明】
【００３６】
１０…カップホルダ、１１ａ…ストッパを構成するピン、１２…カップとしての飲料容器、１３…カップトレイ部、１４…サポート柱、１４ａ…小径円弧部としての前端部、１４ｂ…大径円弧部としての後端部、１４ｃ…曲面、１４ｄ…平坦面、１４ｅ…ストッパを構成する溝、１５…回動軸、１７…付勢部材としてのコイルばね。
【図１】
2013107424.tif 000003
【図２】
2013107424.tif 000004
【図３】
2013107424.tif 000005
【図４】
2013107424.tif 000006
【図５】
2013107424.tif 000007